(57)【特許請求の範囲】
【請求項１】
ケースの上部蓋板の開口の上側に固定され、コネクタを横方向に挿入するコネクタガイドブロックと、該コネクタガイドブロックに昇降自在に設けられ、該コネクタガイドブロック内のコネクタのサイドリテーナの上側に位置して下降時に不完全挿入の該サイドリテーナに当接する検知プレートと、該検知プレートに設けられた検知ピンと、該コネクタに向けて昇降するプローブピンを有する導通検査部と、該導通検査部に連動して該検知プレートを昇降させる駆動機構と、該検知ピンの完全下降時に作動するスイッチとを備えたことを特徴とする導通検査治具。
【請求項２】
前記駆動機構が、前記導通検査部と一体に昇降するプッシュピンと、該プッシュピンで駆動され、前記検知ピンを前記検知プレートと一体に下降させる回動自在なレバーとを備えたことを特徴とする請求項１記載の導通検査治具。
【請求項３】
前記検知ピンが前記検知プレートを上下に貫通し、上側の検知ピン部分に弱いばねが装着され、下側の検知ピン部分に強いばねが装着され、該弱いばねの上端が前記レバーで押圧され、該強いばねの下端が前記コネクタガイドブロックで支持されたことを特徴とする請求項２記載の導通検査治具。
【請求項４】
前記コネクタガイドブロックが前記上部蓋板にねじ締めで固定され、前記ケース内の前記導通検査部が該ケースのエアシリンダで昇降されることを特徴とする請求項１〜３の何れかに記載の導通検査治具。
【発明の詳細な説明】
【技術分野】
【０００１】
本発明は、コネクタの端子係止用のサイドリテーナの不完全挿着を検知する機構を備えた導通検査治具に関するものである。
【背景技術】
【０００２】
従来、ワイヤハーネスのコネクタの導通を検査する導通検査治具にコネクタを挿入セットする方向としては、上から下向きに縦方向にコネクタを挿入セットする場合と、前から後向きに横方向にコネクタを挿入セットする場合とが知られている。
【０００３】
例えば、特許文献１には、コネクタ装着部に上から下向きにコネクタを挿入し、プルーブピンを有する下側の導通検査部をコネクタ装着部に向けて垂直なエアシリンダで上向きに駆動して、プルーブピンをコネクタ内の端子に接触させて、端子付き電線とプルーブピン付き電線とで制御部を介して閉回路を構成して導通有りを検出することが記載されている。
【０００４】
また、特許文献２には、コネクタ装着部に前側から水平にコネクタを挿入し、コネクタ装着部内には、コネクタの凹部内のサイドリテーナ（端子を二重係止させるための部品）に対する突部を設けておき、突出したサイドリテーナに突部を当接させてコネクタ装着部へのコネクタの挿入を行わせないことで、サイドリテーナの不完全挿着を検知することが記載されている。
【先行技術文献】
【特許文献】
【０００５】
【特許文献１】特開２００７−８５９２６号公報（図６）
【特許文献２】特許第３４４６６７５号公報（図１）
【発明の概要】
【発明が解決しようとする課題】
【０００６】
上記従来の特許文献１に記載された導通検査治具にあっては、例えば図１０に示す如く、絶縁樹脂製のコネクタハウジング７１が段付の形状で、電線導出部側（上側）の幅狭の段部７２内にサイドリテーナ７３を挿着する構造のコネクタ７４の導通検査を行う場合に、コネクタ装着部（コネクタ挿入孔）の幅がコネクタ７４の幅広の先端（下端）部７１ａの寸法に合わせて規定され、サイドリテーナ７３の不完全挿着を検知するための突部を設けることができないという問題を生じてしまう。図１０で符号７５は電線、７６はコネクタ装着部、７７はロック部をそれぞれ示す。
【０００７】
また、上記従来の特許文献２に記載された導通検査治具にあっては、例えば作業者がサイドリテーナの不完全挿着のコネクタをコネクタ装着部内に挿入する際に、サイドリテーナが検知用の突部に当たっているにも係わらず、無理にコネクタをコネクタ装着部内に押し込んで、サイドリテーナの検知精度が低下したり、サイドリテーナが変形や破損を生じてしまうといった懸念があった。
【０００８】
また、サイドリテーナ付きの段付のコネクタを検査するために専用の導通検査治具を必要とし、導通検査治具のコストが高くつくという懸念があった。
【０００９】
本発明は、上記した点に鑑み、サイドリテーナ付きの段付のコネクタを横方向にスムーズに挿入して、不完全挿着のサイドリテーナを確実に検知することができ、それに加えて検知時のサイドリテーナの破損等を防ぎ、さらにコストを低く抑えることのできる導通検査治具を提供することを目的とする。
【課題を解決するための手段】
【００１０】
上記目的を達成するために、本発明の請求項１に係る導通検査治具は、ケースの上部蓋板の開口の上側に固定され、コネクタを横方向に挿入するコネクタガイドブロックと、該コネクタガイドブロックに昇降自在に設けられ、該コネクタガイドブロック内のコネクタのサイドリテーナの上側に位置して下降時に不完全挿入の該サイドリテーナに当接する検知プレートと、該検知プレートに設けられた検知ピンと、該コネクタに向けて昇降するプローブピンを有する導通検査部と、該導通検査部に連動して該検知プレートを昇降させる駆動機構と、該検知ピンの完全下降時に作動するスイッチとを備えたことを特徴とする。
【００１１】
上記構成により、コネクタガイドブロック内にサイドリテーナ付きの段付のコネクタが装着され、サイドリテーナの上側に検知プレートが位置し、導通検知部の上昇に伴って駆動機構で検知プレートが下降し、サイドリテーナが不完全挿入で突出している場合は、検知プレートの下面がサイドリテーナの上面に当接してそれ以上の検知プレートと検知ピンの下降が行われず、検知ピンがスイッチを作動させないことで、タイマー操作等でサイドリテーナの不完全挿入が確実に検知される。サイドリテーナが完全挿入されている場合は、検知プレートがサイドリテーナを通過してスイッチを作動させて異常なしが検知される。導通検査部のプローブピンは上部蓋板の開口を経てコネクタ内の端子に接触して導通検査を行う。
【００１２】
請求項２に係る導通検査治具は、請求項１記載の導通検査治具において、前記駆動機構が、前記導通検査部と一体に昇降するプッシュピンと、該プッシュピンで駆動され、前記検知ピンを前記検知プレートと一体に下降させる回動自在なレバーとを備えたことを特徴とする。
【００１３】
上記構成により、導通検査部が上昇すると同時にプッシュピンが上昇して、レバーを回動させ、レバーが検知ピンを検知プレートと一体に下降させ、検知プレートが不完全挿入のサイドリテーナに当接して、スイッチの不作動でサイドリテーナの不完全挿入が検知される。レバーはプッシュピンの上昇動作を検知プレートの下降動作に変換する。レバーはコネクタガイドブロック内に配置され、プッシュピンはケースの蓋板を貫通してコネクタガイドブロック内に位置する。
【００１４】
請求項３に係る導通検査治具は、請求項２記載の導通検査治具において、前記検知ピンが前記検知プレートを上下に貫通し、上側の検知ピン部分に弱いばねが装着され、下側の検知ピン部分に強いばねが装着され、該弱いばねの上端が前記レバーで押圧され、該強いばねの下端が前記コネクタガイドブロックで支持されたことを特徴とする。
【００１５】
上記構成により、プッシュピンの上昇に伴ってレバーが回動し、レバーの回動先端部が上側の弱いばねを圧縮しつつ検知プレートを下降させ、不完全挿入のサイドリテーナに検知プレートが当たった時点で下側の強いばねが少し圧縮されつつ検知プレートを支えてそれ以上の検知プレートの押し下げを阻止することで、サイドリテーナの変形や破損が確実に防止される。
【００１６】
請求項４に係る導通検査治具は、請求項１〜３の何れかに記載の導通検査治具において、前記コネクタガイドブロックが前記上部蓋板にねじ締めで固定され、前記ケース内の前記導通検査部が該ケースのエアシリンダで昇降されることを特徴とする。
【００１７】
上記構成により、導通検査部を収容するケースと、ケースに設けられたエアシリンダと、ケースの上部開口を塞ぐ上部蓋板と、蓋板に設けられる押しボタンや表示ランプ等が他の導通検査治具と共通で使用される。エアシリンダは、ケースと一体のシリンダ本体と、シリンダ本体内に配置されるピストンロッドと、シリンダ本体の下部開口を塞ぐエア供給用のプラグとを備えたものである。エアシリンダのエア圧で検知プレートの昇降が弾性的に行われ、不完全挿入のサイドリテーナに検知プレートが弾力的に当接して、サイドリテーナへの負荷が軽減される。他の導通検査治具の蓋板を共通使用する際に、蓋板にコネクタガイドブロック固定用の孔部をあけることが好ましい（共通であけておいてもよい）。
【発明の効果】
【００１８】
請求項１記載の発明によれば、サイドリテーナよりも検知プレートが上側にあるので、サイドリテーナ付きの段付のコネクタをコネクタガイドブロック内に横方向にスムーズに挿入することができる。また、作業者の手作業によらずに、導通検査部と連動する検知プレートで、不完全挿着のサイドリテーナを確実に検知することができる。また、作業者の手作業によらずに、検知プレートをサイドリテーナに適切な力で当接させることで、サイドリテーナの変形や破損を防ぐことができる。
【００１９】
請求項２記載の発明によれば、プッシュピンとレバーの操作で導通検査部の上昇動作を検知プレートの下降動作に変換して、検知プレートの下降動作をスムーズ且つ確実に行わせて、不完全挿着のサイドリテーナの検知を精度良く行わせることができる。
【００２０】
請求項３記載の発明によれば、検知プレートを不完全挿入のサイドリテーナに当接させた際に、下側の強いばねで検知プレートを支えてそれ以上の検知プレート下降を阻止することで、サイドリテーナの変形や破損を確実に防止することができる。
【００２１】
請求項４記載の発明によれば、コネクタのセットを縦方向に行う他の導通検査治具に対してケースと蓋板とケース一体のシリンダ等を共通部品として使用することができ、導通検査治具のコストを低く抑えることができる。
【図面の簡単な説明】
【００２２】
【図１】本発明に係る導通検査治具の一実施形態を示す外観斜視図である。
【図２】同じく導通検査治具のコネクタガイドブロックを示す正面視斜視図である。
【図３】導通検査治具の要部を示す分解斜視図である。
【図４】導通検査治具の内部構造を示す治具定位置の側面図である。
【図５】サイドリテーナの正規装着時の導通検査治具の作用を示す側面図である。
【図６】サイドリテーナの不完全装着時の導通検査治具の作用を示す側面図である。
【図７】導通検査治具のケースの蓋板を示す、（ａ）は表面側の斜視図、（ｂ）は裏面側の平面図である。
【図８】導通検査治具の全体構造を示す分解斜視図である。
【図９】部品を共通化した他の導通検査治具を示す分解斜視図である。
【図１０】従来の導通検査治具の一課題を説明的に示す正面図である。
【発明を実施するための形態】
【００２３】
図１〜図８は、本発明に係る導通検査治具の一実施形態を示すものである。
【００２４】
図１の如く、この導通検査治具１は、合成樹脂ないし金属製のケース２内に導通検査部３と、導通検査部３を昇降させる垂直なエアシリンダ４とを備え、ケース２の水平な上部蓋板５の上にねじ締めでコネクタ装着部６を有する合成樹脂製のコネクタガイドブロック７を固定したものである。
【００２５】
上部蓋板５は上下に貫通した矩形状の開口８を有し、開口８に連通して上側にコネクタガイドブロック７のコネクタ装着部（装着空間）６が位置する。コネクタ装着部６にはワイヤハーネスの段付のコネクタ７４（図１０）が前側から矢印の如く水平に挿入され、コネクタ７４に続く電線７５がコネクタ装着部６の上部開口６ａから導出される。
【００２６】
コネクタ装着部６はコネクタの形状に合わせて下半部６ｂが幅広で上半部６ｃが幅狭に形成され、上半部６ｃの左右に横長の開口９，１０（図３）が設けられている。コネクタガイドブロック７の左側の垂直な壁部１１の外面に金属製のＬ字のブラケット１２（図２，図３）がねじで固定され、ブラケット１２にばね１３（図８）を介して設けたコネクタ押圧部材１４が図２の如く左側の壁部の幅狭の側部開口９からコネクタ装着部６内に弾性的に突出している。
【００２７】
ブラケット１２の底板１２ａは左壁１１の段付の下面１１ａと蓋板５の上面との間に挟持されて孔部１２ｂ（図３）に蓋板５の下側からボルト１５等（図８）を挿通して左壁１１に共締めされている。コネクタガイドブロック７の垂直な右壁１６のやや幅広の横長の側部開口１０内に、コネクタ７４のサイドリテーナ７３（図１０）の不完全挿着（半挿着）を検知するための検知プレート１７が昇降自在に設けられている。右壁１６の側部開口１０は右壁１６の上部開口１８に連通し、上部開口１８内には後述のレバー１９（図３）が配置されている。
【００２８】
蓋壁５には、使用すべき導通検査治具１やエラーを表示するＬＥＤランプ２０とコネクタ開放用の操作ボタン２１とが設けられている。蓋板５はケース２の薄肉の上部鍔壁２２に係止爪２３で固定されている。導通検査部３を昇降させるシリンダ４は左右二本配設されている。コネクタガイドブロック７を取り外せば、蓋板５の下側に他のコネクタガイドブロック２４（図９）を設けて、コネクタガイドブロック２４内に上から下に縦方向に段差のないコネクタ２５（図９）を挿着可能である。図１で符号２６は、縦挿入されるコネクタ２５（図９）を固定するためのエアシリンダ本体である。
【００２９】
図３の如く、コネクタガイドブロック７は左壁１１と右壁１６と垂直な後壁２７とで平面視略コの字状に形成され、右壁１６の後部に上下に貫通した垂直な孔部２８が設けられ、孔部２８は上部開口１８と側部開口１０とに連通し、孔部２８内に下からプッシュピン２９が昇降自在に挿入され、前後方向に長い上部開口１８内に前後方向に長いレバー１９が配置され、レバー１９の中間の左右方向の水平な軸部３０が右壁１６の軸受孔３１に挿入され、レバー１９が軸部３０を支点に上下方向回動自在に支持され、軸部３０の後端下部にプッシュピン２９の先端（上端）が当接自在に配置される。
【００３０】
また、矩形状の水平な検知プレート１７の中央の孔部１７ａに検知ピン３２が上下に貫通固定され、検知ピン３２の上下に各コイルばね３３，３４（図４）が配置され、下側のばね３４の方が上側のばね３３よりも荷重が高く（強く）、検知プレート１７の前後の孔部１７ｂに短い垂直な一対のガイドピン３５がスライド自在に貫通し、各ガイドピン３５の上部に短円柱状の受け部材３６が配置され、レバー１９の前端下部に検知ピン３２の上端が位置している。検知プレート１７は側部開口１０内に昇降自在に配置され、各ピン３２，３５の上半と上側のばね３３（図４）は上部開口１８内に進入し、各ピン３２，３５の下半と下側のばね３４（図４）は側部開口１０の底面１０ａから下向きに設けられた不図示の孔部内に進入する。
【００３１】
コネクタガイドブロック７の下面から対角方向の二本の長いガイドピン３７が下向きに突出し、各ガイドピン３７はコネクタガイドブロック７の上下に貫通した孔部３８内にスライド自在に係合し、各ガイドピン３７は導通検査部３の絶縁樹脂製の下側ブロック３９の孔部３９ａに貫通され、下側ブロック３９の上にブロック板４０が配置され、ブロック板４０の上にインナガイドブロック４１が配置され、各ブロック３９〜４１はプローブピン（図４の導通ピン）４２を上下に貫通させる複数の孔部（４１ａのみ示す）を有し、各ブロック３９〜４１はガイドピン３７に沿ってプローブピン４２と共に垂直な二本のエアシリンダ４（図１）で一体に昇降自在である。図３で符号４３はマイクロスイッチ（スイッチ）を示す。
【００３２】
図４に導通検査治具１の定位置（初期状態）を示す如く、ケース２の蓋板５の上にコネクタガイドブロック７が配置され、コネクタガイドブロック７の内側に、軸３０で回動自在なレバー１９と、検知プレート１７と、検知ピン３２とその上下のコイルばね３３，３４と、短い一対のガイドピン３５と、コネクタ押圧部材１４と、前後二つのマイクロスイッチ４３，４４とが配置される。検知プレート１７は下側の強いばね３４で上向きに付勢されてコネクタのサイドリテーナよりも上側に位置し、側部開口１０の上端面に検知プレート１７の上面が当接して停止する。
【００３３】
プッシュピン２９と長いガイドピン３７とは蓋板５を上下に貫通して配置され、エアシリンダ４（図１）の下降（圧縮）時に、蓋板５の下側のケース２内に導通検査部３を成す上からインナブロック４１とブロック板４０と下側ブロック３９とが配置される。プッシュピン２９と長いガイドピン３７とはブロック板４０を貫通して下側ブロック３９に貫通固定されている。プッシュピン２９とレバー１９とで、あるいはプッシュピン２９とレバー１９と上下のばね３３，３４とで検知プレート１７に対する駆動機構が構成される。
【００３４】
各コイルばね３３，３４は上下の検知ピン部分３２ａ，３２ｂの周囲に配置され（外挿され）、上側の弱いばね３３の上端にレバー１９の前半下部が接してレバー１９が前上がりに位置し、下側のばね３４の下端はコネクタガイドブロック７内の水平壁面で受け止め支持されている。検知ピン３２の下側に前側のマイクロスイッチ４３が配置され、後側のマイクロスイッチ４４はコネクタ装着部６内で後壁２７から突出してコネクタの装着有無を検知する。明細書で「前」とはコネクタ装着部６（図１）のコネクタ挿入開口のある側を言う。
【００３５】
図５に、導通検査治具１の導通検査時でサイドリテーナの浮きすなわち不完全挿入のない場合を示す如く、エアシリンダ４（図１）の伸長動作でプッシュピン２９が導通検査部３と一体に上昇し、レバー１９の後部１９ｂを押し上げて前部１９ａを下降させ、レバー前部１９ａが上側の弱いばね３３を介して検知ピン３２を検知プレート１７と一体に押し下げる。サイドリテーナの浮きはない（完全挿入されている）ので、検知プレート１７はサイドリテーナに当たることなく下降し、検知ピン３２は検知プレート１７の下面との間で下側の強いばね３４を圧縮させつつ、マイクロスイッチ４３をオンして、サイドリテーナの浮きがないことを例えばランプ等で表示させる。検知プレート１７の下面は側部開口１０の下端面に当接して停止する。
【００３６】
それらと同時に導通検査部３が上昇して蓋板５の開口８を経てインナガイド４１をコネクタガイドブロック７内に進入させ、プローブピン４２をコネクタ内の端子に接触させて、端子付き電線とプローブピン付き電線とで導通検査装置の制御部（図示せず）を介して閉回路を構成して、導通があることを検出してランプ等で表示させる。ブロック板４０は蓋壁５の開口８内に位置し、下側ブロック３９は蓋板５の下側に位置する。
【００３７】
図６に、導通検査治具１の導通検査時でサイドリテーナの浮きすなわち不完全挿入のある場合を示す如く、導通検査部３と一体にプッシュピン２９が上昇し、レバー１９の後部１９ｂを押し上げてレバー１９の前部１９ａを下降させ、レバー前部１９ａが図５と同様に上側の弱いばね３３を圧縮しつつ検知ピン３２と一体に検知プレート１７を押し下げ、検知プレート１７の下面がコネクタのサイドリテーナの上面に当接した時点でレバー前部１９ａが上側の弱いばね３３を圧縮し終えて検知ピン３２の上端に当接し、それ以上押し下げようとしても下側の強いばね３４が圧縮されつつ検知ピン３２を弾性的に支えて（受け止めて）それ以上の検知プレート１７の下降を阻止して、検知プレート１７によるサイドリテーナの押圧負荷を阻止してサイドリテーナの破損や変形を防ぐ。
【００３８】
検知ピン３２の下端は下側のマイクロスイッチ４３まで届かず、マイクロスイッチ４３を押すことなくマイクロスイッチ４３の上方に位置するので、例えばタイマー動作等で（コネクタを装着してコネクタ検知用のマイクロスイッチ４４がオンすることで、自動的に導通検査部３とプッシュピン２９が上昇するが、コネクタの装着をマイクロスイッチ４４が検知した後、検知ピン用のマイクロスイッチ４３が作動するまでの時間を制御部で判定して）サイドリテーナの装着異常としてランプ２０（図１）等で表示する。
【００３９】
検知プレート１７は側部開口１０の高さ方向中間部で停止する。サイドリテーナと同じ高さに対向側のコネクタ押圧部材１４が位置する。コネクタ押圧部材１４はコネクタ（絶縁樹脂製のコネクタハウジング）をサイドリテーナの浮き（突出）方向に押圧して、コネクタ装着部６（図１）の内壁側面に押し当てて、コネクタの左右方向のガタ付きをなくして、サイドリテーナの検知や導通検査を正確に行わせる。図１の押しボタン２１の操作でプッシュピン２９が導通検査部３と共に復元（下降）し、検知プレート１７が下側のばね３４で上向きに弾性付勢されて検知ピン３２と一体に上昇して、コネクタガイドブロック７内でコネクタが開放される。
【００４０】
図７（ａ）（ｂ）はケース３の上部蓋板５の表裏面を示すものであり、図７（ｂ）の如く蓋板５の裏面５ａに、図７（ａ）のコネクタガイド固定用の孔部４５を開ける位置をポンチ４６で予め示しておき（前後左右四箇所）、ポンチ位置４６をドリル等で加工して正確な位置に孔部４５を設けることができる。四つの孔部４５（図７（ａ）では二つの孔部４５を開けた場合を示す）に裏側から例えばボルト（タップねじ）１５（図８）を挿通して図１のコネクタガイドブロック７の下面の前後左右の孔部に螺挿することで、蓋板５の上面にコネクタガイドブロック７が簡単に固定される。
【００４１】
コネクタガイドブロック７を用いないでコネクタ２５（図９）を蓋板５の開口８の下側のコネクタ装着部４７（図９）に上下（縦）方向に挿着する場合は、孔部４５を開ける必要はない。図７で符号２１ａは押しボタン装着孔、２０ａはランプ装着孔をそれぞれ示す。
【００４２】
図８は、コネクタガイドブロック７を用いた導通検査治具１を分解して示すものである。
【００４３】
図８で、１２はブラケット、１４は、前後の水平なコイルばね１３で突出方向に付勢された横長のコネクタ押圧部材、１９は、軸部３０を有するレバー、１７は検知プレート、３２は検知ピン、３３は上側のコイルばね、３５は短いガイドピン、５は蓋板、１５は、蓋板５にコネクタガイドブロック７を固定するためのボルト又はワンタッチ係止用の割ピン、４１は、導通検査部３の一部であるインナガイドブロック、４０はブロック板、３９は下側ブロック、４２は、ガイド板４０の孔部を貫通したプローブピン、３７は、ガイド板４０と下側ブロック３９を貫通した長いガイドピン、４８は、ガイドピン３７に外挿されてブロック板４０をインナガイド４１方向に付勢するコイルばね、４９は固定ブロック、２１は押しボタン、２０はランプ、２はケース、５０は、ケース２の底部側の筒状のシリンダ本体４ａ内にスライド自在に挿着されるピストンロッド、５１は、シリンダ本体４ａの下部開口を塞ぐエア圧供給用のプラグをそれぞれ示している。
【００４４】
図９は、コネクタガイドブロック７を用いないでコネクタ２５を縦方向に挿着する導通検査治具６１を分解して示すものである。図８の導通検査治具１と共通の部品には同じ符号を付して詳細な説明を省略する。
【００４５】
図９で、符号２５は、段付のないコネクタ、２５ａはサイドリテーナ、５は共通部品である蓋板、５２はプローブピン、２４は、コネクタ装着部４７を有するコネクタガイドブロック、２１，２０は共通部品である押しボタンとランプ、２は共通部品であるケース、５０は共通部品であるピストンロッド、５１は共通部品であるプラグ、５３は、ケース２の左側上部に軸５４で回動自在に支持されるコネクタロック用のロック爪、５５は、ロック爪５３の左下側の湾曲面５３ａに摺接してロック爪５３を左右に回動させるリング、５６は、リング５５を上端にボルトで固定するピストンロッド本体、５７は、ピストンロッド本体５６をケース２のシリンダ本体２６内に摺動自在に支持させるガイド筒、５８は、ピストンロッド本体５６の下端にねじで固定されるピストン、５９は、シリンダ本体２６内でピストン５８を下向きに付勢するコイルばね、６０は、シリンダ本体２６の下部開口を塞ぐプラグをそれぞれ示している。
【００４６】
コネクタガイドブロック２４は上面にコネクタ装着部４７であるコネクタ挿入孔を有し、コネクタ挿入孔４７は蓋板５の矩形状の開口８の下側に配置される。導通検査部６２である下部ブロック内にプローブピン５２が貫通配置され、下部ブロック６２は前後のシリンダ４で昇降駆動され、コネクタ挿入孔４７の底部側にプローブピン５２の上端部が進入する。ピストンロッド５０とケース２のシリンダ本体４ａとプラグ５１とでシリンダ４が構成される。導通検査部６２の基本構造は図８の導通検査部３におけると同様である。
【００４７】
ロック爪５３がコネクタ装着部４７内のコネクタ２５の上面を係止した状態で、左右のシリンダ４のピストンロッド５０が導通検査部６２をプローブピン５２と一体に上昇させてコネクタ２５内の端子にプローブピン５２を接触させて閉回路で導通検知する。
【００４８】
図９の段付のないコネクタ２５のサイドリテーナ２５ａの不完全挿入の検知は、コネクタ挿入孔４７内に突部（図示せず）を設けて、不完全挿入のサイドリテーナ２５ａが突部に当接（干渉）してそれ以上のコネクタ２５の挿入が行われないことで、検知可能である。図８の導通検査治具１はコネクタガイドブロック７のコネクタ装着部６の段差部（段差上面）６ｄにコネクタの段差部が当接してコネクタの上方への抜け出しが阻止されるので、コネクタロック機構は不要である。
【００４９】
図８の導通検査治具１は、図９の導通検査治具６１のケース２と蓋板５とピストンロッド５０とプラグ５１と押しボタン２１と表示ランプ２０を共通使用している。これにより、導通検査治具１のコストを低減することができる。
【００５０】
段付のないコネクタ２５のサイドリテーナ２５ａの不完全挿入を図８の導通検査治具１で検知する場合は、コネクタガイドブロック７のコネクタ装着部６を段付形状ではなく上下方向にストレートに形成したり、あるいはコネクタ２５の上端を当接停止させる段部をコネクタ装着部６の上部に形成しておいてもよい。
【００５１】
なお、上記実施形態においては、レバー１９を用いて検知ピン３２と検知プレート１７を駆動したが、例えばレバー１９を用いずにプッシュピン２９の上端部をフック等（図示せず）で検知プレート１７に連結させて、プッシュピン２９の昇降動作で検知プレート１７を直接昇降駆動させることも可能である。また、プッシュピン２９に限らず、導通検査部３と一体に昇降する部材（図示せず）を検知プレート１７に連結することで、検知プレート１７を昇降駆動可能である。
【産業上の利用可能性】
【００５２】
本発明に係る導通検査治具は、コネクタのサイドリテーナの不完全挿入をサイドリテーナの破損等なく確実に検知すると共に、コネクタを縦方向に挿着する導通検査治具との部品の共用化で低コスト化するために利用することができる。
【符号の説明】
【００５３】
１              導通検査治具
２              ケース
３              導通検査部
４              エアシリンダ
５              上部蓋板
７              コネクタガイドブロック
８              開口
１７            検知プレート
１９            レバー
２５            コネクタ
２９            プッシュピン
３２            検知ピン
３２ａ，３２ｂ  検知ピン部分
３３            上側の弱いばね
３４            下側の強いばね
４２            プローブピン
４３            マイクロスイッチ（スイッチ）
４７            コネクタ装着部
６１            他の導通検査治具
６２            導通検査部
７３            サイドリテーナ
７４            コネクタ
【図１】
0005566212.tif 000002
【図２】
0005566212.tif 000003
【図３】
0005566212.tif 000004
【図４】
0005566212.tif 000005
【図５】
0005566212.tif 000006
【図６】
0005566212.tif 000007
【図７】
0005566212.tif 000008
【図８】
0005566212.tif 000009
【図９】
0005566212.tif 000010
【図１０】
0005566212.tif 000011